(57)【要約】      （修正有）【課題】収納された遺骨・遺灰がこぼれ難く、遺骨・遺灰への湿度等の影響を与え難く、しっかりと収納することができ、手元供養として転がり難く、取り扱い易い遺骨・遺灰容器を提供する。【解決手段】上部に開口部１８を備え内部に遺骨及び／又は遺灰を収納する収納室１７を備えた本体部１１と、収納室１７の開口部１８を封止するための内蓋部２２と、開口部１８に取付けられた内蓋部２２を上部から覆うように本体部１１に取付けられる蓋部２４とを備えた遺骨・遺灰容器であって、本体部１１と蓋部２４との合体物の外郭形状が球体であり、本体部１１と内蓋部２２と蓋部２４との合体物の重心が、合体物の球体の中心位置よりも低い高さ位置に配されている。【選択図】図３
0003231482.tif 000002
【実用新案登録請求の範囲】
【請求項１】
上部に開口部を備え、内部に遺骨及び／又は遺灰を収納する収納室を備えた本体部と、
前記収納室の前記開口部を封止するための内蓋部と、
前記開口部に取付けられた前記内蓋部を上部から覆うように前記本体部に取付けられる蓋部とを備えた遺骨・遺灰容器であって、
前記本体部と前記蓋部との合体物の外郭形状が球体であり、
前記本体部と前記内蓋部と前記蓋部との合体物の重心が、前記合体物の球体の中心位置よりも低い高さ位置に配されていることを特徴とする遺骨・遺灰容器。
【請求項２】
上部に開口部を備え、内部に遺骨及び／又は遺灰を収納する収納室を備えた本体部と、
前記収納室の前記開口部を封止するための内蓋部と、
前記開口部に取付けられた前記内蓋部を上部から覆うように前記本体部に取付けられる蓋部とを備えた遺骨・遺灰容器であって、
前記本体部と前記蓋部との合体物の外郭形状が球体であり、
前記本体部と前記内蓋部と前記蓋部との合体物の重心が、前記合体物の球体の中心位置よりも低い高さ位置に配されており、
前記本体部の前記重心の位置の直下面に球面外形の一部を切り取るように形成された平面領域を備えていることを特徴とする遺骨・遺灰容器。
【請求項３】
上部に開口部を備え、内部に遺骨及び／又は遺灰を収納する収納室を備えた金属製の本体部と、
前記収納室の前記開口部を封止するための金属製の内蓋部と、
前記開口部に取付けられた前記内蓋部を上部から覆うように前記本体部に取付けられる金属製の蓋部とを備えた遺骨・遺灰容器であって、
前記本体部と前記蓋部との合体物の外郭形状が球体であり、
前記本体部と前記内蓋部と前記蓋部との合体物の重心が、前記合体物の球体の中心位置よりも低い高さ位置に配されており、
前記本体部の前記重心の位置の直下面に球面外形の一部を切り取るように形成された平面領域を備えていることを特徴とする遺骨・遺灰容器。
【請求項４】
上部に開口部を備え、内部に遺骨及び／又は遺灰を収納する収納室を備えた本体部と、
前記収納室の前記開口部を封止するための内蓋部と、
前記開口部に取付けられた前記内蓋部を上部から覆うように前記本体部に取付けられる蓋部とを備えた遺骨・遺灰容器であって、
前記本体部と前記蓋部との合体物の外郭形状が球体であり、
前記本体部と前記内蓋部と前記蓋部との合体物の重心が、前記合体物の球体の中心位置よりも低い高さ位置に配されており、
前記本体部の前記重心の位置の直下面に球面外形の一部を切り取るように形成された平面領域を備えており、
前記本体部と前記蓋部との前記合体物の接合高さ位置が前記球体の中心位置よりも低い高さ位置であることを特徴とする遺骨・遺灰容器。
【請求項５】
上部に開口部を備え、内部に遺骨及び／又は遺灰を収納する収納室を備えた本体部と、
前記収納室の前記開口部を封止するための内蓋部と、
前記開口部に取付けられた前記内蓋部を上部から覆うように前記本体部に取付けられる蓋部とを備えた遺骨・遺灰容器であって、
前記本体部と前記蓋部との合体物の外郭形状が球体であり、
前記本体部と前記内蓋部と前記蓋部との合体物の重心が、前記合体物の球体の中心位置よりも低い高さ位置に配されており、
前記本体部の前記重心の位置の直下面に球面外形の一部を切り取るように形成された平面領域を備えており、
前記本体部と前記蓋部との前記合体物の接合高さ位置が前記球体の中心位置よりも低い高さ位置であり、
前記開口部と前記内蓋部とに互いに螺合する封止用ネジ加工部が形成され、
前記本体部と前記蓋部とに互いに螺合する取付け用ネジ加工部が形成されていることを特徴とする遺骨・遺灰容器。
【考案の詳細な説明】
【技術分野】
【０００１】
本考案は、例えば、骨壷のように遺骨、遺灰等を内部に保持することのできる容器に関するものであり、特に、手元供養に最適な容器に関する。
【背景技術】
【０００２】
従来より、遺骨・遺灰等は、骨壷に収納した状態で墓に収められており、年に数回ほど墓参りをすることで亡くなった家族や先祖を供養することが一般的な先祖供養の形態である。しかし、墓が遠方にある場合や、高齢者である場合等の墓参り自体が困難な状況において、遺骨・遺灰を墓だけではなく、身近に置いて日常的に供養したいとのことで手元供養が徐々にではあるが広まってきている。
【０００３】
この手元供養は、遺骨・遺灰を生活空間など身近なところに置くことで、亡くなった家族を想い遺族の心を癒すという供養方法である。手元供養には、加工の有無や持ち運びの有無などにより幾つかの形態がある。多くの場合、従来の骨壷と同様に容器に収めた状態で保管するが、ロケットペンダントの中に遺骨を収めて常に身に付けたり、遺骨を加工してペンダントや指輪の素材にすることも行われている。また、遺骨・遺灰を入れるもので、おりんのように音を鳴らすものも提案されている（特許文献１参照）。
【先行技術文献】
【特許文献】
【０００４】
【特許文献１】特開２０２０−１７１６６０号公報
【考案の概要】
【考案が解決しようとする課題】
【０００５】
しかしながら、この遺骨・遺灰を入れるものについては、おりんのように音を鳴らすために、収容部の開口部を上側から覆うりん部については、りん部と収容部とは互いにしっかりと固定されるものではない。りん部を長い余韻を伴って鳴らすためには、固定を極力避けるものとなるからである。そのため、入れもの自体が倒れたりすると、遺骨・遺灰がこぼれやすい状態となる。加えて、しっかりとした固定状態ではないため、遺骨・遺灰への湿度等の影響を与え易いものであった。
【０００６】
また、収容部の底面を広く平らにしているが、りん部が球面状の項部から周囲にスカート状に垂下したスカート部を有するものでは、りん部自体の重量によって、重心が入れものの上部に位置することになりかねず、ちょっとした衝撃で転がり易いことは否めないものであった。
【０００７】
本考案は、収納された遺骨・遺灰がこぼれ難く、遺骨・遺灰への湿度等の影響を与え難く、しっかりと収納することができ、手元供養として転がり難く、取り扱い易い遺骨・遺灰容器を得ることを目的とする。
【課題を解決するための手段】
【０００８】
請求項１に記載された考案に係る遺骨・遺灰容器は、上部に開口部を備え内部に遺骨及び／又は遺灰を収納する収納室を備えた本体部と、前記収納室の前記開口部を封止するための内蓋部と、前記開口部に取付けられた前記内蓋部を上部から覆うように前記本体部に取付けられる蓋部とを備えた遺骨・遺灰容器であって、
前記本体部と前記蓋部との合体物の外郭形状が球体であり、
前記本体部と前記内蓋部と前記蓋部との合体物の重心が、前記合体物の球体の中心位置よりも低い高さ位置に配されていることを特徴とするものである。
【０００９】
請求項２に記載された考案に係る遺骨・遺灰容器は、上部に開口部を備え内部に遺骨及び／又は遺灰を収納する収納室を備えた本体部と、前記収納室の前記開口部を封止するための内蓋部と、前記開口部に取付けられた前記内蓋部を上部から覆うように前記本体部に取付けられる蓋部とを備えた遺骨・遺灰容器であって、
前記本体部と前記蓋部との合体物の外郭形状が球体であり、
前記本体部と前記内蓋部と前記蓋部との合体物の重心が、前記合体物の球体の中心位置よりも低い高さ位置に配されており、
前記本体部の前記重心の位置の直下面に球面外形の一部を切り取るように形成された平面領域を備えていることを特徴とするものである。
【００１０】
請求項３に記載された考案に係る遺骨・遺灰容器は、上部に開口部を備え内部に遺骨及び／又は遺灰を収納する収納室を備えた金属製の本体部と、前記収納室の前記開口部を封止するための金属製の内蓋部と、前記開口部に取付けられた前記内蓋部を上部から覆うように前記本体部に取付けられる金属製の蓋部とを備えた遺骨・遺灰容器であって、
前記本体部と前記蓋部との合体物の外郭形状が球体であり、
前記本体部と前記内蓋部と前記蓋部との合体物の重心が、前記合体物の球体の中心位置よりも低い高さ位置に配されており、
前記本体部の前記重心の位置の直下面に球面外形の一部を切り取るように形成された平面領域を備えていることを特徴とするものである。
【００１１】
請求項４に記載された考案に係る遺骨・遺灰容器は、上部に開口部を備え内部に遺骨及び／又は遺灰を収納する収納室を備えた本体部と、前記収納室の前記開口部を封止するための内蓋部と、前記開口部に取付けられた前記内蓋部を上部から覆うように前記本体部に取付けられる蓋部とを備えた遺骨・遺灰容器であって、
前記本体部と前記蓋部との合体物の外郭形状が球体であり、
前記本体部と前記内蓋部と前記蓋部との合体物の重心が、前記合体物の球体の中心位置よりも低い高さ位置に配されており、
前記本体部の前記重心の位置の直下面に球面外形の一部を切り取るように形成された平面領域を備えており、
前記本体部と前記蓋部との前記合体物の接合高さ位置が前記球体の中心位置よりも低い高さ位置であることを特徴とするものである。
【００１２】
請求項５に記載された考案に係る遺骨・遺灰容器は、上部に開口部を備え内部に遺骨及び／又は遺灰を収納する収納室を備えた本体部と、前記収納室の前記開口部を封止するための内蓋部と、前記開口部に取付けられた前記内蓋部を上部から覆うように前記本体部に取付けられる蓋部とを備えた遺骨・遺灰容器であって、
前記本体部と前記蓋部との合体物の外郭形状が球体であり、
前記本体部と前記内蓋部と前記蓋部との合体物の重心が、前記合体物の球体の中心位置よりも低い高さ位置に配されており、
前記本体部の前記重心の位置の直下面に球面外形の一部を切り取るように形成された平面領域を備えており、
前記本体部と前記蓋部との前記合体物の接合高さ位置が前記球体の中心位置よりも低い高さ位置であり、
前記開口部と前記内蓋部とに、互いに螺合する封止用ネジ加工部が形成され、
前記本体部と前記蓋部とに、互いに螺合する取付け用ネジ加工部が形成されていることを特徴とするものである。
【考案の効果】
【００１３】
本考案は、収納された遺骨・遺灰がこぼれ難く、遺骨・遺灰への湿度等の影響を与え難く、しっかりと収納することができ、手元供養として転がり難く、取り扱い易い遺骨・遺灰容器を得ることができるという効果がある。
【図面の簡単な説明】
【００１４】
【図１】本考案の遺骨・遺灰容器の一実施例の構成を示す正面図である。
【図２】図１の遺骨・遺灰容器の断面図である。
【図３】図１の遺骨・遺灰容器の分解図である。
【図４】図１の遺骨・遺灰容器の底面図である。
【図５】図１の遺骨・遺灰容器の動きを示す説明図である。
【考案を実施するための形態】
【００１５】
本考案においては、上部に開口部を備え内部に遺骨及び／又は遺灰を収納する収納室を備えた本体部と、本体部に形成された収納室の開口部を封止するための内蓋部と、本体部の開口部に取付けられた内蓋部を上部から覆うように本体部に取付けられる蓋部とを備えた遺骨・遺灰容器である。即ち、本考案の遺骨・遺灰容器としては、内蓋部と蓋部との２重の蓋によって外部と隔離されるため、収納された遺骨・遺灰がこぼれ難く、遺骨・遺灰への湿度等の影響を与え難くなる。
【００１６】
更に、本考案の本体部と蓋部との合体物の外郭形状が球体である。手元供養に際して、故人への思いを投映する形としては、故人の遺骨・遺灰を収納する器としては、魂（たましい）が「たま、霊、玉、球」を想起させるため、真球に近い球体がふさわしいと考える者が多数存在する。
【００１７】
本考案では、本体部と蓋部との合体物の外郭形状が球体であるため、故人の遺骨・遺灰を収納する器としてふさわしいと考える。また、外郭が球体であるため、転がりやすい形状であるが、本体部と内蓋部と蓋部との合体物の重心が、合体物の球体の中心位置よりも低い高さ位置に配されているため、手元供養に際して、弾みで力を与えても転がり難い利点が奏される。
【００１８】
即ち、真球に近い球体であるが、転がり難く、外から力が加われば起き上がり小法師のように揺れながら次第に静置する状態になることになる。これにより、本考案の遺骨・遺灰容器は、手元供養に適した形状であることと、転がり難いこととの両方の利点が達成される。
【００１９】
本考案の本体部の底面は、球体の一部ではあるが、全て曲面であると本体部と内蓋部と蓋部との合体物の重心が本体部の中心の下位位置に配されていた場合でも、揺れが収まり難くなる。このため、合体部の重心の位置の直下面、即ち、本体部の重心の位置の直下面に球面外形の一部を切り取るように形成された平面領域を備えている。これにより、小幅な揺れまで縮小した際に平面領域で接地することとなり、揺れの収まりが早くなり、静置状態となる。尚、平面領域としては、合体物の球体の直径が５０mm程度である場合には、５〜１０mm、７mm程度のものであればよい。
【００２０】
本考案の本体部としては、遺骨及び／又は遺灰を収納する収納室を備えたものであればよく、数十年以上も手元において供養可能なように長い期間であっても劣化し難い材質で形成されるものが好ましい。例えば、木製、陶器製、陶磁器製、ガラス製、金属製の本体部が好ましい。中でも、精密な加工性の点から、金属製が最も好ましい。尚、金属製の金属としては、鉄や真鍮のように加工が容易な金属が選択される。
【００２１】
また、本考案の内蓋部としても、本体部に形成された収納室の開口部を封止するものであればよく、本体部と同様に、数十年以上も手元において供養可能なように長い期間であっても密閉性が高く、劣化し難い材質で形成されるものが好ましい。例えば、樹脂製、木製、陶器製、陶磁器製、ガラス製、金属製の本体部が好ましい。中でも、経年劣化や精密な加工性の点から、金属製が最も好ましい。尚、金属製の金属としては、鉄や真鍮のように加工が容易な金属が選択される。
【００２２】
更に、本考案の蓋部としても、本体部の開口部に取付けられた内蓋部を覆うように本体部に取付けられるものであればよく、本体部及び内蓋部と同様に、数十年以上も手元において供養可能なように長い期間であっても劣化し難い材質で形成されるものが好ましい。例えば、木製、陶器製、陶磁器製、ガラス製、金属製の本体部が好ましい。中でも、精密な加工性の点から、金属製が最も好ましい。尚、金属製の金属としては、鉄や真鍮のように加工が容易な金属が選択される。
【００２３】
また、本考案の本体部と蓋部との合体物の接合高さ位置は、好ましくは合体物の球体の中心位置よりも低い高さ位置が好ましい。これは、球体の合体物全体に対する蓋部の領域が大きいと球体の合体物の重心の高さ位置がより底面に近く低くなるため、合体物に対する蓋部の割合を大きくすることにより、体部と内蓋部と蓋部との合体物の重心を、合体物の球体の中心位置よりも低い高さ位置にすることが容易となる利点を奏する。
【００２４】
更に、本体部と蓋部との合体物の接合高さ位置は、好ましくは合体物の球体の中心位置よりも低い高さ位置とすると、重心の高さ位置だけでなく、接合部の位置自体が合体物の低い位置となる。これにより、本考案の遺骨・遺灰容器を手にとって眺める際に、手元が目線よりも下方になると、この接合部が視界の領域を外れて球体の直径の向こう側に配置されることになり、接合部を視認できなくなる。
【００２５】
このため、故人の遺骨・遺灰を収納する器が、接合線が視認できない単一の球体として認識される。これにより、手に持った本考案の器が、あたかも故人の魂（たましい）を想起させることになり、手元供養による故人を偲ぶにふさわしい器となる利点も奏することになる。
【００２６】
また、本考案の本体部の開口部と内蓋部との封止については、種々の方法で封止することができる。例えば、嵌合、掛止等の方法が選択できるが、両者に雄雌のネジ加工部を形成して螺合にて封止されることが、精密性、密封性等で好適である。更に、本考案の本体部と蓋部との取付についても、種々の方法で取付けることができる。例えば、嵌合、掛止等の方法が選択できるが、螺合にて取付けられていることが、精密性、密封性等で好適である。
【００２７】
本考案の合体物の外郭表面については、種々のものが選択できる。例えば、色については、種々の塗料によって、金色、銀色、紫色、黒色、象牙色（アイボリー）等々の色に着色されてもよいし、金属光沢のように素材固有の色合いでもよい。また、鏡面仕上げによって、周囲の情景が映り込むようにしてもよいし、細かい凹凸をつけて磨りガラスのようなスモーク感のある表面としてもよい。
【００２８】
更に、塗料を多層にして、細かい多数の反射物質を添加した下地の塗料て、この反射物質によって目視した際に球体表面の中心部分と周縁部分との反射光の角度を相違させることにより、球体の合体物の内部に玉が見えるような奥行きや重厚感のある光沢を得られるキャンディ塗装やメタリック塗装等の加工をしてもよい。
【実施例】
【００２９】
図１は本考案の遺骨・遺灰容器の一実施例の構成を合体物の状態で示す正面図である。図２は図１の遺骨・遺灰容器の断面図である。図３は図１の遺骨・遺灰容器の分解図である。図４は図１の遺骨・遺灰容器の底面図である。図５は図１の遺骨・遺灰容器の動きを示す説明図である。
【００３０】
図１〜図３に示す通り、本実施例の遺骨・遺灰容器１０は、上部に開口部１８を備え、内部に遺骨及び／又は遺灰を収納する収納室１７を備えた本体部１１と、本体部１１に形成された収納室１７の開口部１８を封止するための内蓋部２２と、本体部１１の開口部１８に取付けられた内蓋部２２を上部から覆うように本体部１１に取付けられる蓋部２４とを備える。本実施例の本体部１１、内蓋部２２、蓋部２４は、何れも真鍮製である。
【００３１】
本実施例の遺骨・遺灰容器１０の外郭形状は、本体部１１と蓋部２４との合体物２０で形成され、その形状は真球に近い球体である。尚、本実施例では球体状の合体物２０の直径は５０mmである。球体の最底部から２０mmの高さ位置に本体部１１と蓋部２４との接合部２１が表面に表れる。尚、球体状合体物２０の最底部は、図４に示す通り、球面外形の一部を切り取るように形成された平面領域１９を備えている。尚、本実施例では、平面領域１９の直径は７mmである。
【００３２】
本実施例の遺骨・遺灰容器１０の外郭形状が球体であるため、故人の遺骨・遺灰を収納する器としてふさわしい。即ち、手元供養に際して、故人への思いを投映する形としての球体が、「たま、霊、玉、球」を想起させ、更に、魂（たましい）とつながるため、故人を偲ぶにふさわしい器となる。
【００３３】
更に、接合部２１が球体状合体物２０の底面側の表面に表れるため、本考案の遺骨・遺灰容器１０を手にとって眺める際に、手元が目線よりも下方になる。これにより、この接合部２１が視界の領域を外れて球体の直径の向こう側に配置されることになり、視認できなくなる。このため、故人の遺骨・遺灰を収納する器が、接合部のない単一の球体として認識され、あたかも故人の魂（たましい）を想起させることになり、手元供養による故人を偲ぶにふさわしい器となる利点も奏する。
【００３４】
本実施例の本体部１１は、球体状合体物２０の底部となる底曲面１２と、この底曲面の上面の内縁部で立上った外周壁面に形成された雄ネジ部１４を備えた立上り部１３と、立上り部１３の上面に収納室１７の上部となる円筒部１５と、円筒部１５の上面で収納室１７の出し入れ口となる開口部１８とを備えている。尚、本実施例では、円筒部１５の高さは９mmであり、直径は３０mmであり、収納室１７の内径は２７mmである。
【００３５】
また、円筒部１５の上部外周壁面には雄ネジ部１６が形成され、本実施例の内蓋部２２の内側壁にはこの雄ネジ部１６に螺合する雌ネジ部２３が形成されている。尚、本実施例では、内蓋部２２が螺合された円筒部１５の全体の高さは１１mmである。
【００３６】
更に、本実施例の蓋部２４は、球体状合体物２０の底曲面１２以外の球面となるものであり、本体部１１の立上り部１３に螺合する開口２５が下面に形成されている。開口２５の内側面には本体部１１の立上り部１３の雄ネジ部１４に螺合する雌ネジ部２６が形成されている。尚、本実施例では、蓋部２４の開口２５部分の直径は４７mmである。
【００３７】
本実施例の遺骨・遺灰容器１０は、遺骨及び／又は遺灰を収納する収納室１７を内蓋部２２と蓋部２４との２重の蓋によって外部と隔離されるため、収納された遺骨・遺灰がこぼれ難く、遺骨・遺灰への湿度等の影響を与え難くなる。更に、内蓋部２２と蓋部２４とが本体部１１に螺合して封止されるため、より密封性が高い利点を奏する。
【００３８】
また、本実施例の遺骨・遺灰容器１０は、本体部１１の収納室１７の開口部１８に内蓋部２２を螺合して封止し、本体部１１の立上り部１３に蓋部２４の開口２５を螺合して取付けた球体状合体物２０の重心３０の位置が、平面領域１９の直上であって、球体状合体物２０の中心位置よりも低い高さ位置となっている。
【００３９】
球体状合体物２０の重心３０の位置が低い位置にあり、本体部１１は真鍮製であるため、収納室１７に遺骨や遺灰を収納した状態でも、収納室１７を除いた本体部１１の重さが、蓋部２４及び内蓋部２２の重さに比べて圧倒的に重く、本体部１１、内蓋部２２、蓋部２４が略同一の中心軸周り形状であるため、球体状合体物２０の中心位置よりも低い高さ位置となる。
【００４０】
このため、図５に示す通り、転がり易い球体状の形状であっても、外から力が加われば起き上がり小法師のように揺れながら次第に静置する状態になることになる。尚、本実施例では、本体部１１の重心３０の位置の直下面に球面外形の一部を切り取るように形成された平面領域１９を備えている。
【００４１】
これにより、球体状合体物２０を弾みで力を与えても起き上がり小法師のように揺れて転がらず、小幅な揺れまで縮小した際には、平面領域１９で接地することとなり、揺れの収まりが早くなり、静置状態となる。このため、手元供養に適した形状であることと、転がり難いこととの両方の利点が達成される。
【００４２】
尚、本実施例の球体状合体物２０の外郭表面は、図示していないが、キャンディ塗装加工を施して、球体の合体物の内部に玉が見えるような奥行きや重厚感に更に透明感のある光沢表面となっている。即ち、塗料を多層にして、細かい多数の反射物質を添加した下地の塗料て、この反射物質によって目視した際に球体表面の中心部分と周縁部分との反射光の角度を相違させることにより、球体の合体物の内部に玉が見えるような奥行きや重厚感加えて透明感のある光沢表面となっている。
【産業上の利用可能性】
【００４３】
本考案によると、故人を偲ぶにふさわしい器の形に係わらず、転がり難く、収納された遺骨や遺灰が良好に収納されるため、手元供養に最適な容器である。
【符号の説明】
【００４４】
１０…遺骨・遺灰容器、
１１…本体部、
１２…底曲面、
１３…立上り部、
１４…雄ネジ部、
１５…円筒部、
１６…雄ネジ部、
１７…収納室、
１８…開口部、
１９…平面領域、
２０…合体物（球体状合体物）、
２１…接合部、
２２…内蓋部、
２３…雌ネジ部、
２４…蓋部、
２５…開口、
２６…雌ネジ部、
３０…重心
【図１】
0003231482.tif 000003
【図２】
0003231482.tif 000004
【図３】
0003231482.tif 000005
【図４】
0003231482.tif 000006
【図５】
0003231482.tif 000007